(57)【特許請求の範囲】
【請求項１】
ルーバー材の側端面に形成した係合部を、柱材に固定する取付面を備えた取付部材の係止部に摺動可能に係合して柱材とルーバー材とを連結した構成を有するルーバーであって、
係合部を係合部材に形成した円筒状の孔として形成し、係止部を前記孔に係合する係止軸として形成し、係止軸に、係合部材、緩衝材、他の係合部材をこの順に係合し、係止軸の先端側に位置する前記他の係合部材をルーバー材に固定した構成を有するルーバー。
【請求項２】
ルーバー材の側端面に係合部を形成し、該係合部に摺動可能に係合する係止部と、柱材に固定する取付面とを備えた取付部材を、上記係合部に連結した構成を有するルーバーであって、
取付部材の取付面の柱材への固着部を一側寄り部位に形成し、一本の柱材の対向側面部に長手方向に隣接するルーバー材の固着部を互い違い状に固着して、ルーバー材を長手方向に連設するように形成したルーバー。
【発明の詳細な説明】
【０００１】
【発明の属する技術分野】
本発明は、建物外面や屋上等に設置するルーバーに関する。
【０００２】
【従来の技術】
建物の美観性、遮光性などを高めるため、外壁などにルーバーを設置している建物が近年多く見られる。ルーバーを窓の外側に設置する際には、ルーバー材を横方向に架け渡して、遮光効果を高めるために傾斜させて設置することが多く、このようなものは、ルーバー材及びそれを支持する柱材を、ルーバー材が適宜角度に傾斜して設置できるように形成してる。
【０００３】
【発明が解決しようとする課題】
ルーバー材の傾斜角を変えて設置したい場合は、従来では、押し出し成形により一定の角度に取り付けられるよう形成されているため、新たな金型を作り、その傾斜角になるようルーバー材を形成して対処しており、作成に時間がかかり、コスト的にも高くなっていた。また、柱材を介してルーバー材を長手方向に並設して取り付ける際には、一柱材の左右両面に取り付け部分が重なってしまうため取り付けることができないことから、柱材を二本必要とし、ルーバー間に余計なスペースができ施工作業に時間がかかっていた。
さらに、設置後も、ルーバー材が昼夜の寒暖差により伸縮し、ルーバー材は、柱材に固定してあるため伸縮に追従できにくく、損傷してしまう恐れがあり、また、室内側から窓を通してルーバーが見える場合には、ルーバーの裏面側の取付ボルトなどが見えてしまい見栄え上よくないなどの問題も生じていた。
【０００４】
本発明は、上記課題を鑑み、適宜傾斜角に合わせて簡便に取り付けることができ、裏面側からの見栄えがよく、さらにはルーバー材の熱伸縮により損傷するおそれがなく、余分な柱材を用いることなく設置できるルーバーを提供することにある。
【０００５】
【課題を解決するための手段】
上記課題を解決するため、本発明のルーバーは、ルーバー材の側端面に形成した係合部を、柱材に固定する取付面を備えた取付部材の係止部に摺動可能に係合して柱材とルーバー材とを連結した構成を有するルーバーであって、係合部を係合部材に形成した円筒状の孔として形成し、係止部を前記孔に係合する係止軸として形成し、係止軸に、係合部材、緩衝材、他の係合部材をこの順に係合し、係止軸の先端側に位置する前記他の係合部材をルーバー材に固定した構成を有することを特徴とする。
【０００６】
このようにすることにより、ルーバー材に摺動可能に係合されているため、熱による伸縮で歪が生じることをなくし、損傷を防止することができる。
上記係合部は、ルーバー材の側端面に挿入口を設け、該挿入口に係合部を有する係合部材を挿入固定して形成するか、又は、一体的に成形するのが好ましい。
【０００７】
また、係合部と係止部とを適宜角度をもって係合可能とし、ルーバー材の表面に角度を持たせ得る構成とすれば、係合部と係止部とを適宜角度をもって取り付けることができるため、ルーバー材を所定の傾斜角に合わせて設置することができる。
【０００８】
さらに好ましくは、係合部は、円筒状の孔とし、その内周面に孔方向の係合溝を形成し、係止部は、係合溝に係合する係合条を有する係止軸として形成し、係合溝と係合条を係合させることにより、ルーバー材の傾斜角を容易に調整でき、ルーバー材が伸縮しても係止軸が係合孔内を摺動できるので、熱による伸縮にも対応することができる。
【０００９】
上記ルーバーは、係合部と取付部材とを緩衝材を介して連結してあるので、ルーバー材が熱により伸縮しても移動量を緩衝材に吸収させることができ、動きに追従することができるため、ルーバー材を確実に固定することができる。緩衝材としては、伸縮可能なバネとするのが好ましく、係止部に被着し、係合部の両側乃至片側に配設するのが好ましい。
【００１０】
本発明のルーバーは、ルーバー材の側端面に係合部を形成し、該係合部に摺動可能に係合する係止部と、柱材に固定する取付面とを備えた取付部材を、上記係合部に連結した構成を有するルーバーであって、取付部材の取付面の柱材への固着部を一側寄り部位に形成し、一本の柱材の対向側面部に長手方向に隣接するルーバー材の固着部を互い違い状に固着して、ルーバー材を長手方向に連設するように形成したものも対象とする。
このようにすることにより、柱材の左右両面からルーバー材を取り付けることができるため、ルーバー材の間隔を狭めて長手方向に並設でき、さらには柱材を１本にすることができるため、施工を容易にすることができ、コスト的にも安価なものとなる。
【００１１】
【発明の実施の形態】
以下、本発明の好適な一実施例を示す。
図１は、本発明のルーバーの一実施例の分解斜視図、図２は、係合部材と取付部材の斜視図、図３は、取付部材の別の実施例の分解斜視図、図４は、柱材の斜視図、図５は、ルーバー材を柱材へ組付けた場合の上面図、図６は、緩衝材を介装した取付部材の一実施例である。
【００１２】
図１に示すように、本発明のルーバー１は、ルーバー材２、係合部材３、取付部材４及び柱材５を主な構成として備えている。
【００１３】
ルーバー材２は、断面略矩形状で中空の適宜長さとした長尺形状をしており、側端面２ａの中央付近には、係合部材３を挿入できる挿入口６が設けられている。ルーバー材２の一方の表面２ｂの側端面２ａ寄りには、係合部材３を固定するためのビス７などを挿入するビス挿通孔８が穿設されている。
図１では、ルーバー材２を断面略矩形状としているが、これに限定するものではなく、挿入口６が形成されていれば任意のルーバー材形状とすることができる。
【００１４】
係合部材３は、図２に示すように、略直方体形状をしており、側端面３ａの中央部には、円筒状の孔を設けて係合部９としている。係合部９の内周面には断面略円弧状の係合溝１０を孔方向に複数条設けてある。図では、内周面に係合溝を１５度間隔で、計２４本設けている。一方の表面３ｂの中央付近の側面３ｃ寄りには、上記ビス７を止着して係合部材を固定する固定孔１１が穿設されており、ビス７などにより、係合部材３をルーバー材２に固定できるようになっている。係合溝１０の形状は、上記以外の任意な係合溝形状とすることができ、また係合溝１０の数は、増減させてもよい。
【００１５】
取付部材４は、図２に示すように、上端円弧状の軸基部１２から下方に左右幅を半割状にした固着片１３を延設し、軸基部１２の中央部から杆状の係止部１４を鉛直に突設し、固着片１３内には固着部１５を形成してある。固着部１５は、図では、ボルト１５ａの挿通孔としてある。軸基部１２は厚肉として形成するのが好ましく、係止部１４の突出側とは反対側の面は、柱材５に接面するよう平面とした取付面１６とし、係止部１４は、六角柱、或いは円柱、八角柱状の如き杆状の係止軸１７の対向２個所に、係合溝１０に係合するように断面円弧状の長手方向に突設した係合条１８、１８を突設している。
上記取付部材４は、図３に示すように分解できる構成としてもよく、軸基部１２及び固着片１３を一枚の板材にて形成し、軸基部１２の中央部に杆状の係止部１４の元端部を嵌合可能な対応形状の凹部１９を設け、この凹部１９の中央部にボルト挿通孔２０を穿設し、分解材として形成した係止部１４の中心部にボルト挿通孔２１を穿設し、ボルト２２及びナット２２ａにより両部材を締結固定できるような構成にしてもよい。
【００１６】
柱材５は、図４に示すように、断面略矩形状で中空の接合部２３及び断面略コの字状の目地部２４を平板部２５で結合した一体形状の長尺材であり、平板部２５には、柱材両面にルーバー材２側端部を取り付けられるように、固定孔２６が一定間隔で複数個穿設されており、接合部２３の側面２３ａと目地部２４の側面２４ａの間に形成された凹部２７は、取付部材４の軸基部１２と固着片１３部分及びボルト１５ａ頭部分が少なくとも納まるように形成してある。また、接合部２３には、壁面等に固定するために用いる締結孔２８が側面２３ａに複数個穿設されている。
柱材５を壁面等に取り付ける際は、例えば図５に示すように、壁面等の躯体２９に断面略コの字状で柱材５の接合部２３を挟持できる固定具３０を固定し、固定具３０の側面３０ａ上に設けた締結孔３１び柱材５の締結孔２８にボルト３０ｂを挿通し、ナット３０ｃにより締結固定する。
【００１７】
以下にルーバー１の組立方法を説明する。
図１に示すように、ルーバー材２の挿入口６に係合部材３を挿入し、ビス挿通孔８及びビス固定孔１１にビス７などを挿通させ締結固定する。ルーバー材２と係合部材３は、一体状に成形してある場合は、この作業は必要ない。
【００１８】
取付部材４を係合部材３に取り付ける際は、係止軸１７の係合条１８を係合部９の係合溝１０に係合させる。係合溝１０は複数条設けてあるので、取付部材４が適宜角度になるようにルーバー材２の傾斜角を考慮して係合溝１０を選択して取り付ける。これにより、ルーバー材２の傾斜角を簡便に変更することができ、また、係合溝１０と係合条１８は、摺動可能に係合してあるので、ルーバー材２が熱により伸縮しても、歪を生じることがない。
【００１９】
また、図６に示すように、取付部材４の軸固定部１２に長ボルト３２を挿通してから、長ボルト３２に係止軸１７を挿通し、係止軸１７に係合部材３Ａを係合させる。その後、係止軸１７に緩衝材としてのバネ３３ａを介装して係合部材３Ｂを係合させバネ３３ａを両係合部材３Ａ、３Ｂで挟み、さらにバネ３３ｂ、ワッシャ３４を係止軸１７に挿通して、ナット３２ａにて締結固定する。そして、係合部材３Ｂをビス７でルーバー材２に固定する。このようにすれば、ルーバー材２が熱により伸縮してもルーバー材２と連結している係合部材３Ｂがバネ３３ａ、３３ｂにより挟まれており、歪が生じてもバネ３３ａ、３３ｂにより移動量を吸収してくれるため、ルーバー材２をより確実に固定することができる。
【００２０】
柱材５に取り付ける際は、図１又は図５に示すように、取付部材４の固着部１３Ａ、１３Ｂは互い違い状に取り付けられるので、１本の柱材で左右両面にルーバー材２を並設でき、従来では２本の柱材を使用していたのに比べて、施工作業が容易になり、ルーバー間に余分なスペースがなくなり外観的にも優れたものとすることができる。
【００２１】
【発明の効果】
ルーバー材の側端面に係合部を形成し、該係合部と摺動可能に、適宜角度をもて係止部を係合させることにより、ルーバー材の表面を好ましい傾斜角で取り付けることができ、熱による伸縮にも対応することができる。また、取付部材の固着部を１本の柱材の左右両面に互い違い状になるよう取り付けることにより、ルーバー材を並設して取り付けることができるので、外観上も見栄えのよいルーバーとすることができる。
【図面の簡単な説明】
【図１】  本発明のルーバーの一実施例の分解斜視図である。
【図２】  図１の係合部材と取付部材の斜視図である。
【図３】  取付部材の別の実施例の分解斜視図である。
【図４】  図１の柱材の斜視図である。
【図５】  図１のルーバーを柱材へ組み付けた場合の上面図である。
【図６】  緩衝材を介装した取付部材の一実施例の側面図である。
【符号の説明】
１  ルーバー
２  ルーバー材
２ａ  側端面
２ｂ  表面
３  係合部材
３ａ  側端面
３ｂ  表面
３ｃ  側面
４  取付部材
５  柱材
６  挿入口
７  ビス
８  ビス挿通孔
９  係合部
１０  係合溝
１１  固定孔
１２  軸基部
１３  固着片
１４  係止部
１５  固着部
１５ａ  ボルト
１６  取付面
１７  係止軸
１８  係合条
１９  凹部
２０  ボルト挿通孔
２１  ボルト挿通孔
２２  ボルト
２２ａ  ナット
２３  接合部
２３ａ  側面
２４  目地部
２４ａ  側面
２５  平板部
２６  固定孔
２７  凹部
２８  締結孔
２９  躯体
３０  固定具
３０ａ  側面
３０ｂ  ボルト
３０ｃ  ナット
３１  固定具締結孔
３２  長ボルト
３２ａ  ナット
３３ａ、３３ｂ  バネ
３４  ワッシャ
【図１】
0003999555.tif 000002
【図２】
0003999555.tif 000003
【図３】
0003999555.tif 000004
【図４】
0003999555.tif 000005
【図５】
0003999555.tif 000006
【図６】
0003999555.tif 000007